(57)【要約】【課題】転写ヘッドから張り出したテープ状基材または塗膜によって塗膜の転写位置の視認性が低下してしまうのを抑制する。【解決手段】テープ状基材Ｔ１上に塗着されている塗膜Ｔ２を転写するための転写ヘッド５を備えた塗膜転写具において、転写ヘッド５を湾曲させると共に、その湾曲せしめられた転写ヘッド５に沿ってテープ状基材Ｔ１および／または塗膜Ｔ２を張架するためのガイド手段（６，７）を設ける。好ましくは、湾曲せしめられた転写ヘッド５に沿ってテープ状基材Ｔ１および／または塗膜Ｔ２を張架するために、滑り加工を施した摺動式ガイド６あるいはガイドローラ７を設ける。【選択図】図１
2007196541.tif 000002
【特許請求の範囲】
【請求項１】
テープ状基材上に塗着されている塗膜を転写するための転写ヘッドを備えた塗膜転写具において、前記転写ヘッドを湾曲させると共に、その湾曲せしめられた転写ヘッドに沿ってテープ状基材および／または塗膜を張架するためのガイド手段を設けたことを特徴とする塗膜転写具。
【請求項２】
湾曲せしめられた前記転写ヘッドに沿ってテープ状基材および／または塗膜を張架するために、滑り加工を施した摺動式ガイドを設けたことを特徴とする請求項１に記載の塗膜転写具。
【請求項３】
湾曲せしめられた前記転写ヘッドに沿ってテープ状基材および／または塗膜を張架するためのガイドローラを設けたことを特徴とする請求項１に記載の塗膜転写具。
【請求項４】
前記転写ヘッドを金属によって形成したことを特徴とする請求項１〜３のいずれか一項に記載の塗膜転写具。
【請求項５】
前記転写ヘッドを板ばね状の金属によって形成したことを特徴とする請求項４に記載の塗膜転写具。
【発明の詳細な説明】
【技術分野】
【０００１】
本発明は、テープ状基材上に塗着されている塗膜を転写するための転写ヘッドを備えた塗膜転写具に関し、特には、転写ヘッドから張り出したテープ状基材または塗膜によって塗膜の転写位置の視認性が低下してしまうのを抑制することができる塗膜転写具に関する。
【０００２】
換言すれば、本発明は、塗膜の転写位置の視認性を向上させることができる塗膜転写具に関する。
【背景技術】
【０００３】
従来から、テープ状基材上に塗着されている塗膜を転写するための転写ヘッドを備えた塗膜転写具が知られている。この種の塗膜転写具の例としては、例えば特許第２９９５６５９号公報、特開２００５−１７８０８２号公報などに記載されたものがある。
【０００４】
特許第２９９５６５９号公報に記載された塗膜転写具では、テープ状基材（ベーステープ）上に塗着されている塗膜が紙面上の誤記の部分に転写され、その転写された塗膜により、紙面上の誤記の部分が覆い隠されるようになっている。
【０００５】
また、特開２００５−１７８０８２号公報に記載された塗膜転写具では、紙面に転写される塗膜の転写位置の視認性を向上させるために、転写ヘッドが透明な材料によって形成されている。
【０００６】
このように、特開２００５−１７８０８２号公報に記載された塗膜転写具では、透明な材料によって転写ヘッドを形成することにより、塗膜の転写位置の視認性の向上が図られている。ところが、塗膜の転写位置の視認性を低下させるおそれがあるものとしては、転写ヘッドのみならず、塗膜、および、その塗膜が塗着されているテープ状基材が考えられる。
【０００７】
特開２００５−１７８０８２号公報には、テープ状基材によって塗膜の転写位置の視認性が低下してしまうのを回避するために、透明あるいは半透明のテープ状基材が用いられる旨が記載されているが、特開２００５−１７８０８２号公報に記載された塗膜転写具では、依然として、テープ状基材に塗着されている不透明な塗膜によって、塗膜の転写位置の視認性が低下してしまうおそれがある。
【０００８】
【特許文献１】特許第２９９５６５９号公報
【特許文献２】特開２００５−１７８０８２号公報
【発明の開示】
【発明が解決しようとする課題】
【０００９】
前記問題点に鑑み、本発明は、転写ヘッドから張り出したテープ状基材または塗膜によって塗膜の転写位置の視認性が低下してしまうのを抑制することができる塗膜転写具を提供することを目的とする。
【００１０】
換言すれば、本発明は、転写される塗膜の転写位置の視認性を向上させることができる塗膜転写具を提供することを目的とする。
【課題を解決するための手段】
【００１１】
請求項１に記載の発明によれば、テープ状基材上に塗着されている塗膜を転写するための転写ヘッドを備えた塗膜転写具において、前記転写ヘッドを湾曲させると共に、その湾曲せしめられた転写ヘッドに沿ってテープ状基材および／または塗膜を張架するためのガイド手段を設けたことを特徴とする塗膜転写具が提供される。
【００１２】
請求項２に記載の発明によれば、湾曲せしめられた前記転写ヘッドに沿ってテープ状基材および／または塗膜を張架するために、滑り加工を施した摺動式ガイドを設けたことを特徴とする請求項１に記載の塗膜転写具が提供される。
【００１３】
請求項３に記載の発明によれば、湾曲せしめられた前記転写ヘッドに沿ってテープ状基材および／または塗膜を張架するためのガイドローラを設けたことを特徴とする請求項１に記載の塗膜転写具が提供される。
【００１４】
請求項４に記載の発明によれば、前記転写ヘッドを金属によって形成したことを特徴とする請求項１〜３のいずれか一項に記載の塗膜転写具が提供される。
【００１５】
請求項５に記載の発明によれば、前記転写ヘッドを板ばね状の金属によって形成したことを特徴とする請求項４に記載の塗膜転写具が提供される。
【発明の効果】
【００１６】
請求項１〜３に記載の塗膜転写具では、湾曲せしめられた転写ヘッドに沿ってテープ状基材および／または塗膜を張架するためのガイド手段が設けられている。好ましくは、湾曲せしめられた転写ヘッドに沿ってテープ状基材および／または塗膜を張架するために、滑り加工を施した摺動式ガイドが設けられている。あるいは、好ましくは、湾曲せしめられた転写ヘッドに沿ってテープ状基材および／または塗膜を張架するためのガイドローラが設けられている。
【００１７】
そのため、請求項１〜３に記載の塗膜転写具によれば、湾曲せしめられた転写ヘッドから張り出してテープ状基材または塗膜が張架されるのに伴って、その転写ヘッドから張り出したテープ状基材または塗膜によって、塗膜の転写位置の視認性が低下してしまうのを抑制することができる。
【００１８】
つまり、請求項１〜３に記載の塗膜転写具によれば、湾曲せしめられた転写ヘッドに沿ってテープ状基材および／または塗膜を張架するためのガイド手段が設けられていない場合よりも、塗膜の転写位置の視認性を向上させることができる。
【００１９】
請求項４に記載の塗膜転写具では、テープ状基材上に塗着されている塗膜を転写するための転写ヘッドが、金属によって形成されている。そのため、請求項４に記載の塗膜転写具によれば、転写される塗膜の終端を長期間にわたって直線的に切断することができる。
【００２０】
詳細には、請求項４に記載の塗膜転写具によれば、転写ヘッドが樹脂材料の成形によって形成される場合よりも、転写される塗膜の終端を直線的に切断することができ、また、転写される塗膜の終端の直線性を長期間にわたって維持することができる。
【００２１】
請求項５に記載の塗膜転写具では、転写ヘッドが板ばね状の金属によって形成されている。そのため、請求項５に記載の塗膜転写具によれば、転写ヘッドが金属によって形成されるのに伴って、転写ヘッドが樹脂材料によって形成される場合よりも、転写ヘッドが有する弾性が小さくなってしまうのを回避することができる。
【００２２】
つまり、請求項５に記載の塗膜転写具によれば、転写される塗膜の終端を長期間にわたって直線的に切断できるようにしつつ、転写ヘッドに弾性を付与することができる。
【発明を実施するための最良の形態】
【００２３】
以下、本発明の塗膜転写具の第１の実施形態について説明する。図１は第１の実施形態の塗膜転写具１の断面図である。図１において、２はテープ状基材Ｔ１上に塗膜Ｔ２を塗着したものが巻回された供給リールを示している。３はテープ状基材Ｔ１が巻き取られた巻き取りリールを示している。４は供給リール２および巻き取りリール３を収容するための塗膜転写具本体を示している。４ａは塗膜Ｔ２が塗着されたテープ状基材Ｔ１を張架するために塗膜転写具本体４に設けられた摺動式ガイド部を示している。
【００２４】
また、図１において、５はテープ状基材Ｔ１に塗着された塗膜Ｔ２を例えば紙面などに転写するために、例えば板ばね状の金属によって形成された転写ヘッドを示している。５ａは塗膜転写具本体４に対して転写ヘッド５を取り付けるための取り付け部を示している。５ｂは例えば紙面などに対して塗膜Ｔ２を押圧するために転写ヘッド５に形成されたエッジを示している。６は塗膜Ｔ２が塗着されたテープ状基材Ｔ１を張架するために転写ヘッド５に取り付けられた摺動式ガイドを示している。
【００２５】
図２は図１に示した転写ヘッド５などの拡大図である。図２において、５ｃはテープ状基材Ｔ１の幅方向（図２の手前−奥側方向）の動きを規制するために転写ヘッド５に設けられたサイドガイドを示している。５ｄは塗膜Ｔ２が塗着されたテープ状基材Ｔ１（図１参照）を張架するために転写ヘッド５に設けられた摺動式ガイド部を示している。５ｅ，５ｆはテープ状基材Ｔ１（図１参照）を張架するために転写ヘッド５に設けられた摺動式ガイド部を示している。６ａは摺動式ガイド６の摺動面を示している。
【００２６】
第１の実施形態の塗膜転写具１では、摺動抵抗が比較的小さいテープ状基材Ｔ１と当接せしめられる摺動式ガイド部４ａの表面、および、摺動式ガイド部５ｄ，５ｅ，５ｆの表面、並びに、エッジ５ｂの表面には、滑り加工が施されていないが、摺動抵抗が比較的大きい塗膜Ｔ２と当接せしめられる摺動式ガイド６の摺動面６ａには、例えばシリコン、テフロン（登録商標）などの滑り加工が施されている。
【００２７】
代わりに、第２の実施形態の塗膜転写具１では、摺動抵抗が比較的小さいテープ状基材Ｔ１と当接せしめられる摺動式ガイド部４ａの表面、および、摺動式ガイド部５ｄ，５ｅ，５ｆの表面、並びに、エッジ５ｂの表面にも、例えばシリコン、テフロン（登録商標）などの滑り加工を施すことも可能である。
【００２８】
図３〜図５は第１の実施形態の塗膜転写具１の使用方法を説明するための図である。図３に示すように、塗膜転写具１が紙面Ｐに対して矢印Ａに示すように押圧されると、テープ状基材Ｔ１上に塗着されている塗膜Ｔ２が紙面Ｐに付着せしめられる。
【００２９】
次いで、図３および図４に示すように、塗膜転写具１が、紙面Ｐに対して矢印Ａに示すように押圧されつつ、矢印Ｂに示すように移動せしめられると、テープ状基材Ｔ１上に塗着されていた塗膜Ｔ２が、テープ状基材Ｔ１から剥離すると共に、紙面Ｐ上に残される。つまり、テープ状基材Ｔ１上に塗着されていた塗膜Ｔ２が、紙面Ｐ上に転写される。
【００３０】
図４に示すように、テープ状基材Ｔ１上に塗着されていた塗膜Ｔ２が紙面Ｐ上に転写されると、供給リール２からテープ状基材Ｔ１および塗膜Ｔ２が繰り出され、転写ヘッド５のエッジ５ｂに新たな塗膜Ｔ２が供給される。供給リール２と巻き取りリール３とは、例えばギヤ（図示せず）によって駆動連結されているため、テープ状基材Ｔ１および塗膜Ｔ２が繰り出されるのに伴って、供給リール２が矢印で示すように回転すると、巻き取りリール３が矢印で示すように回転し、それにより、塗膜Ｔ２が剥離せしめられたテープ状基材Ｔ１が巻き取りリール３によって巻き取られる。
【００３１】
詳細には、例えば、巻き取りリール３へのテープ状基材Ｔ１の巻き取り速度が、供給リール２からのテープ状基材Ｔ１および塗膜Ｔ２の繰り出し速度よりも速くなるように、供給リール２および巻き取りリール３の減速比が設定され、テープ状基材Ｔ１にかかる張力が所定値以上になった時に巻き取りリール３が空転するように、ワンウェイクラッチあるいはトルクリミッタ（図示せず）が巻き取りリール３に設けられている。
【００３２】
次いで、図５に示すように、塗膜転写具１が、紙面Ｐから矢印Ｃに示すように（あるいは、図５の右上方向に）遠ざけられると、紙面Ｐ上に転写された塗膜Ｔ２が、転写ヘッド５のエッジ５ｂによってテープ状基材Ｔ１上の塗膜Ｔ２から切断される。詳細には、紙面Ｐ上に転写された塗膜Ｔ２の終端Ｔ２ａが、転写ヘッド５のエッジ５ｂによって形成される。
【００３３】
図６は紙面Ｐ上に転写された塗膜Ｔ２を図５の上側から見た図である。第１の実施形態の塗膜転写具１では、図２に示すように、転写ヘッド５のエッジ５ｂが非常に鋭利に形成されているため、図６に示すように、紙面Ｐ上に転写された塗膜Ｔ２の終端Ｔ２ａが、転写ヘッド５のエッジ５ｂによって直線状に形成される。
【００３４】
第１の実施形態の塗膜転写具１では、上述したように、転写ヘッド５が金属によって形成されている。そのため、第１の実施形態の塗膜転写具１によれば、転写される塗膜Ｔ２の終端Ｔ２ａを長期間にわたって直線的に切断することができる。
【００３５】
詳細には、第１の実施形態の塗膜転写具１によれば、転写ヘッド５が樹脂材料の成形によって形成される場合よりも、転写される塗膜Ｔ２の終端Ｔ２ａを直線的に切断することができ、また、転写される塗膜Ｔ２の終端Ｔ２ａの直線性を長期間にわたって維持することができる。
【００３６】
更に、第１の実施形態の塗膜転写具１では、上述したように、転写ヘッド５が板ばね状の金属によって形成されている。そのため、第１の実施形態の塗膜転写具１によれば、転写ヘッド５が金属によって形成されるのに伴って、転写ヘッド５が樹脂材料によって形成される場合よりも、転写ヘッド５が有する弾性が小さくなってしまうのを回避することができる。
【００３７】
第１の実施形態の塗膜転写具１では、転写ヘッド５が板ばね状の金属によって形成されているが、第３の実施形態の塗膜転写具１では、代わりに、弾性を有さない金属によって転写ヘッド５を形成することも可能である。
【００３８】
また、第１の実施形態の塗膜転写具１では、図２に示すように、転写ヘッド５が湾曲せしめられている。そのため、第１の実施形態の塗膜転写具１によれば、転写ヘッド５が不透明な金属によって形成されるのに伴って、転写ヘッド５が透明な樹脂材料によって形成される場合よりも、転写される塗膜Ｔ２の転写位置の視認性が低下してしまうのを抑制することができる。
【００３９】
更に、第１の実施形態の塗膜転写具１では、図１および図２に示すように、湾曲せしめられた転写ヘッド５に沿ってテープ状基材Ｔ１および塗膜Ｔ２を張架するための摺動式ガイド６が設けられている。詳細には、湾曲せしめられた転写ヘッド５に沿ってテープ状基材Ｔ１および塗膜Ｔ２を張架するために、滑り加工を施した摺動式ガイド６が設けられている。
【００４０】
そのため、第１の実施形態の塗膜転写具１によれば、図５に破線で示すように、湾曲せしめられた転写ヘッド５から張り出してテープ状基材Ｔ１および塗膜Ｔ２が張架されるのに伴って、その転写ヘッド５から張り出したテープ状基材Ｔ１および塗膜Ｔ２によって、塗膜Ｔ２の転写位置の視認性が低下してしまうのを抑制することができる。
【００４１】
つまり、第１の実施形態の塗膜転写具１によれば、湾曲せしめられた転写ヘッド５に沿ってテープ状基材Ｔ１および塗膜Ｔ２を張架するための摺動式ガイド６が設けられていない場合よりも、転写される塗膜Ｔ２の転写位置の視認性を向上させることができる。
【００４２】
以下、本発明の塗膜転写具の第４の実施形態について説明する。第４の実施形態の塗膜転写具は、後述する点を除き、上述した第４の実施形態の塗膜転写具と同様に構成されている。従って、第４の実施形態の塗膜転写具によれば、上述した第４の実施形態の塗膜転写具とほぼ同様の効果を奏することができる。
【００４３】
図７は第４の実施形態の塗膜転写具１の断面図である。図７において、４ｂは塗膜Ｔ２が塗着されたテープ状基材Ｔ１を張架するために塗膜転写具本体４に設けられた摺動式ガイド部を示している。図８は図７に示した転写ヘッド５の拡大図である。
【００４４】
第１の実施形態の塗膜転写具１では、図１および図２に示すように、塗膜Ｔ２が塗着されたテープ状基材Ｔ１を張架するための摺動式ガイド６が転写ヘッド５に取り付けられているが、第４の実施形態の塗膜転写具１では、代わりに、図７および図８に示すように、塗膜Ｔ２が塗着されたテープ状基材Ｔ１を張架するための摺動式ガイド部４ｂが塗膜転写具本体４に設けられている。
【００４５】
詳細には、第４の実施形態の塗膜転写具１では、摺動抵抗が比較的大きい塗膜Ｔ２と当接せしめられる摺動式ガイド部４ｂの表面に、例えばシリコン、テフロン（登録商標）などの滑り加工が施されている。
【００４６】
以下、本発明の塗膜転写具の第５の実施形態について説明する。第５の実施形態の塗膜転写具は、後述する点を除き、上述した第１の実施形態の塗膜転写具と同様に構成されている。従って、第５の実施形態の塗膜転写具によれば、上述した第１の実施形態の塗膜転写具とほぼ同様の効果を奏することができる。
【００４７】
図９は第５の実施形態の塗膜転写具１の断面図である。図１０は図９に示した転写ヘッド５の拡大図である。図９および図１０において、７は塗膜Ｔ２が塗着されたテープ状基材Ｔ１を張架するために転写ガイド５に取り付けられたガイドローラを示している。
【００４８】
第１の実施形態の塗膜転写具１では、図１および図２に示すように、塗膜Ｔ２が塗着されたテープ状基材Ｔ１を張架するために摺動式ガイド６が転写ヘッド５に取り付けられているが、第５の実施形態の塗膜転写具１では、代わりに、図９および図１０に示すように、塗膜Ｔ２が塗着されたテープ状基材Ｔ１を張架するために、回転可能なガイドローラ７が転写ヘッド５に取り付けられている。
【００４９】
以下、本発明の塗膜転写具の第６の実施形態について説明する。第６の実施形態の塗膜転写具は、後述する点を除き、上述した第５の実施形態の塗膜転写具と同様に構成されている。従って、第６の実施形態の塗膜転写具によれば、上述した第５の実施形態の塗膜転写具とほぼ同様の効果を奏することができる。
【００５０】
図１１は第６の実施形態の塗膜転写具１の断面図である。図１１において、７は塗膜Ｔ２が塗着されたテープ状基材Ｔ１を張架するために塗膜転写具本体４に取り付けられたガイドローラを示している。図１２は図１１に示した転写ヘッド５の拡大図である。
【００５１】
第５の実施形態の塗膜転写具１では、図９および図１０に示すように、塗膜Ｔ２が塗着されたテープ状基材Ｔ１を張架するために、回転可能なガイドローラ７が転写ヘッド５に取り付けられているが、第６の実施形態の塗膜転写具１では、代わりに、図１１および図１２に示すように、塗膜Ｔ２が塗着されたテープ状基材Ｔ１を張架するために、回転可能なガイドローラ７が塗膜転写具本体４に取り付けられている。
【００５２】
以下、本発明の塗膜転写具の第７の実施形態について説明する。第７の実施形態の塗膜転写具は、後述する点を除き、上述した第１の実施形態の塗膜転写具と同様に構成されている。従って、第７の実施形態の塗膜転写具によれば、上述した第１の実施形態の塗膜転写具とほぼ同様の効果を奏することができる。
【００５３】
図１３は第７の実施形態の塗膜転写具１の断面図である。図１４は図１３に示した転写ヘッド５の拡大図である。
【００５４】
第１の実施形態の塗膜転写具１では、図１および図２に示すように、テープ状基材Ｔ１に塗着された塗膜Ｔ２を例えば紙面などに転写するための転写ヘッド５が板ばね状の金属によって形成されているが、第７の実施形態の塗膜転写具１では、図１３および図１４に示すように、テープ状基材Ｔ１に塗着された塗膜Ｔ２を例えば紙面などに転写するための転写ヘッド５が樹脂によって形成されている。
【００５５】
以下、本発明の塗膜転写具の第８の実施形態について説明する。第８の実施形態の塗膜転写具は、後述する点を除き、上述した第４の実施形態の塗膜転写具と同様に構成されている。従って、第８の実施形態の塗膜転写具によれば、上述した第４の実施形態の塗膜転写具とほぼ同様の効果を奏することができる。
【００５６】
図１５は第８の実施形態の塗膜転写具１の断面図である。図１６は図１５に示した転写ヘッド５の拡大図である。
【００５７】
第４の実施形態の塗膜転写具１では、図７および図８に示すように、テープ状基材Ｔ１に塗着された塗膜Ｔ２を例えば紙面などに転写するための転写ヘッド５が板ばね状の金属によって形成されているが、第８の実施形態の塗膜転写具１では、図１５および図１６に示すように、テープ状基材Ｔ１に塗着された塗膜Ｔ２を例えば紙面などに転写するための転写ヘッド５が樹脂によって形成されている。
【００５８】
以下、本発明の塗膜転写具の第９の実施形態について説明する。第９の実施形態の塗膜転写具は、後述する点を除き、上述した第５の実施形態の塗膜転写具と同様に構成されている。従って、第９の実施形態の塗膜転写具によれば、上述した第５の実施形態の塗膜転写具とほぼ同様の効果を奏することができる。
【００５９】
図１７は第９の実施形態の塗膜転写具１の断面図である。図１８は図１７に示した転写ヘッド５の拡大図である。
【００６０】
第５の実施形態の塗膜転写具１では、図９および図１０に示すように、テープ状基材Ｔ１に塗着された塗膜Ｔ２を例えば紙面などに転写するための転写ヘッド５が板ばね状の金属によって形成されているが、第９の実施形態の塗膜転写具１では、図１７および図１８に示すように、テープ状基材Ｔ１に塗着された塗膜Ｔ２を例えば紙面などに転写するための転写ヘッド５が樹脂によって形成されている。
【００６１】
以下、本発明の塗膜転写具の第１０の実施形態について説明する。第１０の実施形態の塗膜転写具は、後述する点を除き、上述した第６の実施形態の塗膜転写具と同様に構成されている。従って、第１０の実施形態の塗膜転写具によれば、上述した第６の実施形態の塗膜転写具とほぼ同様の効果を奏することができる。
【００６２】
図１９は第１０の実施形態の塗膜転写具１の断面図である。図２０は図１９に示した転写ヘッド５の拡大図である。
【００６３】
第６の実施形態の塗膜転写具１では、図１１および図１２に示すように、テープ状基材Ｔ１に塗着された塗膜Ｔ２を例えば紙面などに転写するための転写ヘッド５が板ばね状の金属によって形成されているが、第１０の実施形態の塗膜転写具１では、図１９および図２０に示すように、テープ状基材Ｔ１に塗着された塗膜Ｔ２を例えば紙面などに転写するための転写ヘッド５が樹脂によって形成されている。
【００６４】
第１１の実施形態では、上述した第１から第１０の実施形態を適宜組み合わせることも可能である。
【００６５】
第１から第１１の実施形態では、例えば紙面Ｐ上の誤記を覆い隠すための塗膜Ｔ２が塗膜転写具１によって転写されるが、第１２の実施形態では、代わりに、例えば蛍光塗材、接着剤などのような任意の用途の塗膜Ｔ２を塗膜転写具１によって転写することも可能である。
【図面の簡単な説明】
【００６６】
【図１】第１の実施形態の塗膜転写具１の断面図である。
【図２】図１に示した転写ヘッド５などの拡大図である。
【図３】第１の実施形態の塗膜転写具１の使用方法を説明するための図である。
【図４】第１の実施形態の塗膜転写具１の使用方法を説明するための図である。
【図５】第１の実施形態の塗膜転写具１の使用方法を説明するための図である。
【図６】紙面Ｐ上に転写された塗膜Ｔ２を図５の上側から見た図である。
【図７】第４の実施形態の塗膜転写具１の断面図である。
【図８】図７に示した転写ヘッド５の拡大図である。
【図９】第５の実施形態の塗膜転写具１の断面図である。
【図１０】図９に示した転写ヘッド５の拡大図である。
【図１１】第６の実施形態の塗膜転写具１の断面図である。
【図１２】図１１に示した転写ヘッド５の拡大図である。
【図１３】第７の実施形態の塗膜転写具１の断面図である。
【図１４】図１３に示した転写ヘッド５の拡大図である。
【図１５】第８の実施形態の塗膜転写具１の断面図である。
【図１６】図１５に示した転写ヘッド５の拡大図である。
【図１７】第９の実施形態の塗膜転写具１の断面図である。
【図１８】図１７に示した転写ヘッド５の拡大図である。
【図１９】第１０の実施形態の塗膜転写具１の断面図である。
【図２０】図１９に示した転写ヘッド５の拡大図である。
【符号の説明】
【００６７】
１          塗膜転写具
２          供給リール
３          巻き取りリール
４          塗膜転写具本体
４ａ        摺動式ガイド部
５          転写ヘッド
５ａ        取り付け部
５ｂ        エッジ
６          摺動式ガイド
Ｔ１        テープ状基材
Ｔ２        塗膜
【図１】
2007196541.tif 000003
【図２】
2007196541.tif 000004
【図３】
2007196541.tif 000005
【図４】
2007196541.tif 000006
【図５】
2007196541.tif 000007
【図６】
2007196541.tif 000008
【図７】
2007196541.tif 000009
【図８】
2007196541.tif 000010
【図９】
2007196541.tif 000011
【図１０】
2007196541.tif 000012
【図１１】
2007196541.tif 000013
【図１２】
2007196541.tif 000014
【図１３】
2007196541.tif 000015
【図１４】
2007196541.tif 000016
【図１５】
2007196541.tif 000017
【図１６】
2007196541.tif 000018
【図１７】
2007196541.tif 000019
【図１８】
2007196541.tif 000020
【図１９】
2007196541.tif 000021
【図２０】
2007196541.tif 000022